(57)【要約】      （修正有）【課題】木造軸組機械切削加工継手は、直線継手では、腰掛け鎌継ぎ、腰掛け蟻継ぎ等が多用され、特に補強の必要な時に、左右両面、又は片面より、短ざく金物各種プレート、により補強使用されている。引張力に対する許容耐力の大きな追掛継ぎ系の、機械切削加工継手を提供する。【解決手段】被加工材の上面より切削せずに、側面を上にして、加工材固定作業台に、上木、下木、の合わせ面が、水平に成る様に、材料をセットし、直線移動定規同じく、直線移動定規兼用すべり勾配定規、往復使用直線移動定規、の何れかに、切削回転駆動軸付カッターを、セットしたルーターのみにて、切削作業をおこなう。【選択図】図１
2006051789.tif 000002
【特許請求の範囲】
【請求項１】
丸のこ刃、カッター刃、ルーターピツト、等の、回転駆動軸に、切削刃を取付け、材料に、刃付回転軸共に切り込み加工する事に拠り、手のこ、手のみ、を使用せずに、木材継手機械加工が可能になる、切削刃付回転駆動軸付カツター、及び丸のこ。上記被加工材固定、並びルーター直線移動及び、滑り勾配、定規、付作業台。
【発明の詳細な説明】
【発明の詳細な説明】
【０００１】現在までの、木造軸組機械加工継手は、種々開発して来ているが、継手仕口の中で、もつとも強度に付いて、信用出来る、追掛け継ぎ系の機械加工継手に付いては、今だに作成されていない、この事については、被加工材の上面より切削せずに、側面を上にし加工材固定作業台に材料をセットし、直線移動定規同じく、直線移動定規兼用すべり勾配定規、往復使用直線移動定規、の何れかに、切削回転駆動軸付カッターをセットしたルーターのみにて、切削作業を、完了する事ができる。
【０００２】加工材固定作業台に材料をセットし、必ず各直線移動定規を使用して、切削作業を行い寸法正確さお確保し、合わせて、木工加工機に有り勝ちな、怪我を、未然に防ぐ事でも有る。
【技術分野】
【０００３】古来より伝えられた手工具作業を、労力、技能、習熟少なくして、正確に制作出来る。
【背景技術】
【０００４】木造住宅工事共通仕様書（解説付）住宅金融公庫基準適合仕様確認書
平成１５年改訂（全国版）発行財団法人住宅金融普及協会
【発明の開示】
【発明が解決しようとする課題】部材を長さ方向に接続する接合継手、追掛継手の加工電動工具は、いまだに、開発されていない、この継手の引張力に対する許容耐力概算、追掛大栓継ぎ、断面１０５ｍｍ角で２，５００ｋｇ、腰掛鎌継ぎ断面１０５ｍｍ角で４００ｋｇ、腰掛蟻継ぎ断面１０５ｍｍ角で３００ｋｇ、腰掛鎌継ぎで、追掛大栓継ぎの６分の１、同じく、腰掛鎌継ぎで８分の１、しかない。このためには、追掛継手の加工電動工具を作成して、切削寸法精度仕上がりの良い加工を行わなければ為らない。
【発明の効果】
【０００５】古来より伝えられた手工具作業を、労力、技能、習熟少なくして、正確に制作出来る。
【発明を実施するための最良の形態】
【産業上の利用可能性】
【図面の簡単な説明】
【０００６】
【図】 
2006051789.tif 000003
【図１】
2006051789.tif 000004
【図１】
2006051789.tif 000005
【図２】
2006051789.tif 000006
【図３】
2006051789.tif 000007
【手続補正書】
【提出日】平成16年10月27日(2004.10.27)
【手続補正１】
【補正対象書類名】明細書
【補正対象項目名】０００６
【補正方法】変更
【補正の内容】
【０００６】
【図１】
切削回転駆動軸付カッタ−立面横書、▲Ａ▼左側カツタ−部分、▲Ｂ▼右側ル−タ−取合部分、
【図２】
▲Ｃ▼カツタ−底部より見上図▲Ｄ▼カツタ−平面及切削回転駆動軸断面▲Ｅ▼機械取合部
【図３】
▲Ｅ▼カツタ−及切削回転駆動軸断面、
【図４】
▲Ｈ▼直線移動定規兼用すべり勾配定規▲Ｇ▼直線移動定規▲Ｉ▼固定作業台平面、
【図５】
▲Ｊ▼切削加工材▲Ｋ▼切削回転駆動軸付カツタ−各箇所作動位置▲Ｌ▼固定作業台断面、
【図６】
▲Ｊ▼加工済み材位置及び▲Ｍ▼固定作業台上部平面、
【図７】
▲Ｎ▼往復使用直線移動定規平面、
【図８】
▲Ｏ▼固定作業台向側立面及び下段傾斜加工材固定床、
【図９】
▲Ｐ▼固定作業台右側立面▲Ｊ▼被加工材位置及び下段傾斜加工材固定床、
【図１０】
▲Ｑ▼固定作業台手前側立面及び下段傾斜加工材固定床、
【符号の説明】
【図１】
切削回転駆動軸付カッタ−立面横書、▲Ａ▼左側カツタ−部分、▲Ｂ▼右側ル−タ−取合部分、
【図２】
▲Ｃ▼カツタ−底部より見上図▲Ｄ▼カツタ−平面及切削回転駆動軸断面▲Ｅ▼機械取合部
【図３】
▲Ｆ▼カツタ−及切削回転駆動軸断面、
【図４】
▲Ｈ▼直線移動定規兼用すべり勾配定規▲Ｇ▼直線移動定規▲Ｉ▼固定作業台平面、
【図５】
▲Ｊ▼切削加工材▲Ｋ▼切削回転駆動軸付カツタ−各箇所作動位置▲Ｌ▼固定作業台断面、
【図６】
▲Ｊ▼加工済み材位置及び▲Ｍ▼固定作業台上部平面、
【図７】
▲Ｎ▼往復使用直線移動定規平面、
【図８】
▲Ｏ▼固定作業台向側立面及び下段傾斜加工材固定床、
【図９】
▲Ｐ▼固定作業台右側立面▲Ｊ▼被加工材位置及び下段傾斜加工材固定床、
【図１０】
▲Ｑ▼固定作業台手前側立面及び下段傾斜加工材固定床、
【手続補正２】
【補正対象書類名】図面
【補正対象項目名】全図
【補正方法】変更
【補正の内容】
【図１】
2006051789.tif 000008
【図２】
2006051789.tif 000009
【図３】
2006051789.tif 000010
【図４】
2006051789.tif 000011
【図５】
2006051789.tif 000012
【図６】
2006051789.tif 000013
【図７】
2006051789.tif 000014
【図８】
2006051789.tif 000015
【図９】
2006051789.tif 000016
【図１０】
2006051789.tif 000017
【手続補正書】
【提出日】平成17年3月25日(2005.3.25)
【手続補正１】
【補正対象書類名】明細書
【補正の内容】
2006051789.tif 000018
2006051789.tif 000019
2006051789.tif 000020
2006051789.tif 000021
2006051789.tif 000022
2006051789.tif 000023
2006051789.tif 000024
2006051789.tif 000025
2006051789.tif 000026
2006051789.tif 000027
【手続補正書】
【提出日】平成17年10月20日(2005.10.20)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
本発明は、固定作業台の上部に水平又は平行に移動したり、３６０度旋回する各種の上開き溝形直線可動定規及びそれらによる切削加工を容易にする固定作業台である
【請求項２】
固定作業台の中段には、傾斜を変える事が出来る傾斜板を備え、被加工材を固定して、上段水平部分より木材の、切削加工が出来る請求項１の固定作業台である。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】      本発明は、木材の仕口切削加工を容易に、かつ正確に加工する為の固定作業台及び上開き溝形直線可動定規に関する。
【背景技術】
【０００２】      従来の切削加工を行なう際には、角材又は枕木を平行に並べそのの上にさらに角材を置いた作業台を対にして、その作業台に被加工材を置き、足を掛けるとか腰を下ろして押さえながら手工具又は単能電動工具により加工していた。最近では、一定の高さの４本足の台（馬）を対にして、置き切削加工を行なっているが各個の切削加工毎に被加工材や電動工具等の移動、上げ下げに労力を費やしていた。
【発明の開示】
【発明が解決しようとする課題】
【０００３】本発明は、このような従来の作業台が有していた問題を解決しようとするもので、木材の仕口切削加工を容易に、かつ正確に加工するための固定作業台及びその固定作業台の上部に搭載する上開き溝形直線可動定規であり、既存の電動工具を使用して木材の仕口切削加工を施工する事を目的とする物である。
【課題を解決するための手段】
【０００４】      固定作業台の骨格構造は、角出し角パイプによりなつており皿ビス又は溶接ににて組立られる。【０００５】      最上部固定枠は、上記の骨格に接合し、各種の上開溝形直線定規や電動工具等の重量に見合つた強度の金属受け板を取り付けてある。【０００６】      中段の傾斜板枠は、角出し角パイプにより、組立られ表面を厚さ１２ｍｍ以上の合板等を張り付けてある。この傾斜板枠は、中段位置までの枠受け柱と角度変更軸受け柱によつて取付けられ、角度変更軸受け柱とジャツキは傾斜板中枠とジャツキ下受け枠により取り付けてある、傾斜板枠はボルトによつてささえられる、角度の変更は傾斜板中枠より土台枠ジャツキ受け枠に回転可能受け軸２箇所によつてジャツキはは取付けてある。【０００７】      上開き溝形直線可動定規の骨格構造は角出し角パイプを皿ビス又は溶接にて組立てられ、各種の電動工具等をセツトする支持板が接合されている、その支持板には切削加工するための溝が設けてある。この定規には各種の仕口切削形状により各種の定規がある、また切削加工の長さを決める時は溝形直線可動定規溝内電動工具の形状に合わせてストツパーを２箇所前後にシャコ万力使用して締め付けて決定できる。
【発明の効果】
【０００８】        従来の  直線継手腰掛け鎌継ぎ  ＋字仕口腰掛け蟻掛け  機械角のみによる施工は受け材（女木）等の引張り強度の低下を招き、補強のための１文字金物ボルト止め  羽子板ボルト止め等外部より屋内に貫通させた金物に水滴または霜が発生していた、この事の設計施工を改良するためでもある。【０００９】        従来よりの普通ボルトナツトによる締め付け工法は螺旋の外径より３  ４ｍｍ太めの穴明けをしていた、この為に後日追い締め施工をしても後日構造体の揺れが起き安くなりがちであつた、また穴明け作業は外面より接合面に向けて作業する事が多く穴明の食い違いが発生しやすかつた、穴明の食い違いの発生を防止するためには接合面に印しを着けて外面に向けて穴明けを行い更に被加工材を垂直ドリルの作動方向に確実に固定出来れば両材間の見通し良く螺旋の外径より３ｍｍ細い先穴明け施工する事が可能であり又加工材の堅さにより加減でき、ボルト軸全体がラグスクリュウ螺旋なのでたたきこまずインパクトレンチを使用し締付完了する。【００１０】        近年長尺木材通し柱大梁等の購入調達が入手困難になつてきておりこれに対応するために、心持材梢部分正角断面積減２５％以下の押角を追掛け継ぎ接合とすれば必要長さの材料を作成でき、さらに接合部分を完成時に同位置にせず断面をＩ型Ｌ型２本３本以上、先端ボルト付きラグスクリュウ、または全螺旋切りラグスクリュウ、を必要強度に配置締め付ければ壁厚みの変化のない合成通し柱管柱合成梁さらにＨ型の大断面の合成梁が作成できる。
【図面の簡単な説明】
【００１１】
【図１】  上部固定枠・可動定規枠支持板・及び３６０度方向旋回可動直線定規操作位置。
【図２】  ３６０度方向旋回可動直線定規・固定方法・シヤコ万力・Ｌ型クランプ・
【図３】  中間・仰角・伏角・水平・可動床・平面。
【図４】  ＡＢ断面図。
【図５】  上部固定枠・可動枠支持板・往復可動直線定規・位置。
【図６】  往復可動直線定規・固定方法・シヤコ万力・Ｌ型クランプ・
【図７】  上部固定枠・可動枠支持板・
【図８】  可動直線定規・固定方法・シヤコ万力・Ｌ型クランプ・
【図９】  上部及びＡＤ面透視図
【図１０】  上部及びＢＣ面透視図
【符号の説明】
【００１２】  １  上部平面・外周固定枠。
２  外周固定枠下・可動定規枠支持板。
３  可動、定規枠ルーター・直線、３６０度用。
４  可動、定規枠ルーター・直線、往復、丸のこ登載。
５  可動、定規枠ルーター・直線。
７  ルーターピツト・挿入作動穴。
８  可動、定規枠・ルーター支持板。
９  上下深さ調節ルーター支持丸定規。
１０  角度可変床中心軸受け位置。
１１  角度可変床枠組。
１２  角度可変床枠組軸受け位置。
１３  角度可変床枠組軸受け柱位置。
１４  外周固定枠支持柱。
１５  角度可変床枠、角度変更ジヤッキ位置。市売品利用。
１６  角度変更ジヤッキ受け軸。
１７  合板床。
１８  外周固定下枠。
１９  ４隅全体受け足。
２０  中間固定枠。
２１  ジヤッキ受け固定下枠。
２２  ジヤッキ固定枠。
２３  登載丸のこ刃・挿入作動穴。
【手続補正３】
【補正対象書類名】手続補正書
【補正対象項目名】手続補正３
【補正方法】削除
【補正の内容】
【手続補正４】
【補正対象書類名】手続補正書
【補正対象項目名】手続補正５
【補正方法】削除
【補正の内容】
【手続補正５】
【補正対象書類名】手続補正書
【補正対象項目名】手続補正５
【補正方法】削除
【補正の内容】
【手続補正６】
【補正対象書類名】手続補正書
【補正対象項目名】手続補正６
【補正方法】削除
【補正の内容】
【手続補正８】
【補正対象書類名】手続補正書
【補正対象項目名】手続補正８
【補正方法】削除
【補正の内容】
【手続補正９】
【補正対象書類名】手続補正書
【補正対象項目名】手続補正９
【補正方法】追加
【補正の内容】
【手続補正９】
【補正対象書類名】図面
【補正対象項目名】全図
【補正方法】変更
【補正の内容】
【図１】
2006051789.tif 000028
【図２】
2006051789.tif 000029
【図３】
2006051789.tif 000030
【図４】
2006051789.tif 000031
【図５】
2006051789.tif 000032
【図６】
2006051789.tif 000033
【図７】
2006051789.tif 000034
【図８】
2006051789.tif 000035
【図９】
2006051789.tif 000036
【図１０】
2006051789.tif 000037